【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
支持体、該支持体上に形成された下引き層、該下引き層の直上に形成された電荷発生層、及び該電荷発生層上に形成された正孔輸送層を有する電子写真感光体であって、
該下引き層が、
ヒドロキシ基、チオール基、アミノ基、カルボキシ基、およびメトキシ基からなる群より選ばれる極性基を有する電子輸送物質を含む組成物の重合物、及び
シリカ粒子を含有し、
該組成物における該電子輸送物質の含有量が、該組成物の全質量に対して３０質量％以上７０質量％以下であり、
該シリカ粒子の含有量が、該電子輸送物質の全質量に対して１質量％以上３０質量％以下であることを特徴とする電子写真感光体。
【請求項２】
支持体、該支持体上に形成された下引き層、該下引き層の直上に形成された電荷発生層、及び該電荷発生層上に形成された正孔輸送層を有する電子写真感光体であって、
該下引き層が、
ヒドロキシ基、チオール基、アミノ基、カルボキシ基、およびメトキシ基からなる群より選ばれる極性基を有する電子輸送物質、
結着樹脂、及び
シリカ粒子を含有し、
該下引き層における該電子輸送物質の含有量が、該電子輸送物質および該結着樹脂との合計質量に対して３０質量％以上７０質量％以下であり、
該シリカ粒子の含有量が、該電子輸送物質の全質量に対して１質量％以上３０質量％以下であることを特徴とする電子写真感光体。
【請求項３】
前記シリカ粒子の平均一次粒子径が１０ｎｍ以上２０００ｎｍ以下である請求項１または２に記載の電子写真感光体。
【請求項４】
前記シリカ粒子の疎水化度が４０％以下である請求項１から３のいずれか１項に記載の電子写真感光体。
【請求項５】
前記電子輸送物質が、下記式（Ａ）で示される基を２つ以上有する請求項１から４のいずれか１項に記載の電子写真感光体。
−（α１）ｌ−（β）ｍ−γ          （Ａ）
（式（Ａ）中、α１、β、及びγの少なくとも１つは前記極性基を有する基である。ｌ及びｍは、それぞれ独立に、０又は１であり、ｌとｍの和は、０以上２以下である。
α１は、主鎖の原子数が１〜１２の置換もしくは無置換のアルキレン基、置換もしくは無置換のアルキレン基の主鎖中のメチレン基を酸素原子に置き換えて導かれる主鎖の原子数が１〜１２の基、置換もしくは無置換のアルキレン基の主鎖中のメチレン基を硫黄原子に置き換えて導かれる主鎖の原子数が１〜１２の基、置換もしくは無置換のアルキレン基の主鎖中のメチレン基をＮＲ１に置き換えて導かれる主鎖の原子数が１〜１２の基を示す。
該置換のアルキレン基の置換基は、炭素数１〜６のアルキル基、ベンジル基、アルコシキカルボニル基、又はフェニル基である。Ｒ１は、水素原子又はアルキル基を示す。
βは、置換もしくは無置換のフェニレン基、置換もしくは無置換のシクロアルキレン基、または置換もしくは無置換のシクロアルキリデン基を示す。該置換のフェニレン基の置換基、該置換のシクロアルキレン基の置換基、および該置換のシクロアルキリデン基の置換基は、炭素数１〜６のアルキル基、ニトロ基、ハロゲン基、又はアルコキシ基である。
γは、水素原子、主鎖の原子数が１〜６の置換もしくは無置換のアルキル基、置換もしくは無置換のアルキル基の主鎖中のメチレン基を酸素原子に置き換えて導かれる主鎖の原子数が１〜６の基、置換もしくは無置換のアルキル基の主鎖中のメチレン基を硫黄原子に置き換えて導かれる主鎖の原子数が１〜６の基、置換もしくは無置換のアルキル基の主鎖中のメチレン基をＮＲ２に置き換えて導かれる主鎖の原子数が１〜６の基を示す。
該置換のアルキル基の置換基は、炭素数１〜６のアルキル基、またはアルコキシカルボニル基である。Ｒ２は、水素原子又はアルキル基を示す。）
【請求項６】
前記電子輸送物質が、下記式（Ａ１）で示される基、および下記式（Ａ２）で示される基をそれぞれ有する請求項１から５のいずれか１項に記載の電子写真感光体。
−α２              （Ａ１）
−（β）ｍ−γ      （Ａ２）
（式（Ａ１）、（Ａ２）中のα２、γは前記極性基を有する基である。
α２は、主鎖の原子数が２〜１２の置換もしくは無置換のアルキル基、置換もしくは無置換のアルキル基の主鎖中のメチレン基を酸素原子に置き換えて導かれる主鎖の原子数が２〜１２の基、置換もしくは無置換のアルキル基の主鎖中のメチレン基を硫黄原子に置き換えて導かれる主鎖の原子数が２〜１２の基、または置換もしくは無置換のアルキル基の主鎖中のメチレン基をＮＲ３に置き換えて導かれる主鎖の原子数が１〜１２の基を示す。該置換のアルキル基の置換基は、炭素数１〜６のアルキル基またはアルコキシカルボニル基である。ただし、該アルキル基の主鎖中の１つ炭素原子に２つ以上の該置換基を有する場合を除く。Ｒ３は、水素原子又はアルキル基を示す。
式（Ａ２）において、βは、置換もしくは無置換のフェニレン基、置換もしくは無置換のシクロアルキレン基、または置換もしくは無置換のシクロアルキリデン基を示す。該置換のフェニレン基の置換基、該置換のシクロアルキレン基の置換基、および該置換のシクロアルキリデン基の置換基は、炭素数１〜６のアルキル基、ニトロ基、ハロゲン基、又はアルコキシ基である。ｍは０又は１である。
ｍ＝１のとき、γは、水素原子、主鎖の原子数が１〜６の置換もしくは無置換のアルキル基、置換もしくは無置換のアルキル基の主鎖中のメチレン基を酸素原子に置き換えて導かれる主鎖の原子数が１〜６の基、置換もしくは無置換のアルキル基の主鎖中のメチレン基を硫黄原子に置き換えて導かれる主鎖の原子数が１〜６の基、置換もしくは無置換のアルキル基の主鎖中のメチレン基をＮＲ２に置き換えて導かれる主鎖の原子数が１〜６の基を示す。該置換のアルキル基の置換基は、炭素数１〜６のアルキル基、またはアルコキシカルボニル基である。Ｒ２は、水素原子又はアルキル基を示す。
ｍ＝０のとき、γは、主鎖の原子数が１〜６の置換のアルキル基、置換のアルキル基の主鎖中のメチレン基を酸素原子に置き換えて導かれる主鎖の原子数が１〜６の基、置換のアルキル基の主鎖中のメチレン基を硫黄原子に置き換えて導かれる主鎖の原子数が１〜６の基、置換のアルキル基の主鎖中のメチレン基をＮＲ２に置き換えて導かれる主鎖の原子数が１〜６の基を示す。該置換のアルキレン基は、該アルキル基の主鎖中の１つの炭素原子に２つ以上の置換基を有し、該置換基は炭素数１〜６のアルキル基またはアルコキシカルボニル基である。
【請求項７】
前記シリカ粒子がその表面上にシラノール基を有する、請求項１または２に記載の電子写真感光体。
【請求項８】
前記シリカ粒子および前記電子輸送物質が前記感光層との界面近傍に存在している、請求項１または２に記載の電子写真感光体。
【請求項９】
前記組成物がさらに架橋剤を含む、請求項１に記載の電子写真感光体。
【請求項１０】
支持体、該支持体上に形成された下引き層、該下引き層の直上に形成された電荷発生層、及び該電荷発生層上に形成された正孔輸送層を有する電子写真感光体を製造する方法であって、該製造方法が、
ヒドロキシ基、チオール基、アミノ基、カルボキシ基、およびメトキシ基からなる群より選ばれる極性基を有する電子輸送物質を含む組成物、およびシリカ粒子を含有する下引き層用塗布液の塗膜を形成する工程、および
該塗膜を加熱乾燥させることによって前記下引き層を形成する工程を有し、
該組成物における該電子輸送物質の含有量が、該組成物の全質量に対して３０質量％以上７０質量％以下であり、
該シリカ粒子の含有量が、該電子輸送物質の全質量に対して１質量％以上３０質量％以下であることを特徴とする電子写真感光体の製造方法。
【請求項１１】
支持体、該支持体上に形成された下引き層、該下引き層の直上に形成された電荷発生層、及び該電荷発生層上に形成された正孔輸送層を有する電子写真感光体を製造する方法であって、該製造方法が、
ヒドロキシ基、チオール基、アミノ基、カルボキシ基、およびメトキシ基からなる群より選ばれる極性基を有する電子輸送物質、結着樹脂、およびシリカ粒子を含有する下引き層用塗布液の塗膜を形成する工程、
該塗膜を加熱乾燥させることによって前記下引き層を形成する工程を有し、
該電子輸送物質の含有量が、該電子輸送物質および該結着樹脂との合計質量に対して３０質量％以上７０質量％以下であり、
該シリカ粒子の含有量が、該電子輸送物質の全質量に対して１質量％以上３０質量％以下であることを特徴とする電子写真感光体の製造方法。
【請求項１２】
前記シリカ粒子の疎水化度が４０％以下である請求項１０または１１に記載の電子写真感光体の製造方法。
【請求項１３】
前記シリカ粒子がその表面上にシラノール基を有する、請求項１０または１１に記載の電子写真感光体の製造方法。
【請求項１４】
前記シリカ粒子および前記電子輸送物質が前記感光層との界面近傍に存在している、請求項１０または１１に記載の電子写真感光体の製造方法。
【請求項１５】
前記組成物がさらに架橋剤を含む、請求項１０に記載の電子写真感光体の製造方法。
【請求項１６】
請求項１〜９のいずれか１項に記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項１７】
請求項１〜９のいずれか１項に記載の電子写真感光体、ならびに、帯電手段、露光手段、現像手段および転写手段を有する電子写真装置。
【手続補正２】
【補正対象書類名】明細書
【補正対象項目名】００１０
【補正方法】変更
【補正の内容】
【００１０】
本発明は、支持体、該支持体上に形成された下引き層、該下引き層の直上に形成された電荷発生層、及び該電荷発生層上に形成された正孔輸送層を有する電子写真感光体であって、
該下引き層が、
ヒドロキシ基、チオール基、アミノ基、カルボキシ基、およびメトキシ基からなる群より選ばれる極性基を有する電子輸送物質を含む組成物の重合物、及び
シリカ粒子を含有し、
該組成物における該電子輸送物質の含有量が、該組成物の全質量に対して３０質量％以上７０質量％以下であり、該シリカ粒子の含有量が、該電子輸送物質の全質量に対して１質量％以上３０質量％以下であることを特徴とする電子写真感光体に関する。
また、本発明は、支持体、該支持体上に形成された下引き層、該下引き層の直上に形成された電荷発生層、及び該電荷発生層上に形成された正孔輸送層を有する電子写真感光体であって、
該下引き層が、
ヒドロキシ基、チオール基、アミノ基、カルボキシ基、およびメトキシ基からなる群より選ばれる極性基を有する電子輸送物質、結着樹脂及びシリカ粒子を含有し、該下引き層における該電子輸送物質の含有量が、該電子輸送物質および該結着樹脂との合計質量に対して３０質量％以上７０質量％以下であり、
該シリカ粒子の含有量が、該電子輸送物質の全質量に対して１質量％以上３０質量％以下であることを特徴とする電子写真感光体に関する。
【手続補正３】
【補正対象書類名】明細書
【補正対象項目名】００１９
【補正方法】変更
【補正の内容】
【００１９】
本発明における下引き層は、シリカ粒子及び、ヒドロキシ基、チオール基、アミノ基、カルボキシ基、およびメトキシ基からなる群より選ばれる極性基（重合性官能基）を有する電子輸送物質を含む組成物の重合物を含有する。あるいは、下引き層が、シリカ粒子、上記電子輸送物質、及び結着樹脂を含有する。電子輸送物質と架橋剤を含む組成物の重合物を含有する場合、組成物中にさらに重合性官能基を有する熱可塑性樹脂を含んでいてもよい。
【手続補正４】
【補正対象書類名】明細書
【補正対象項目名】００２３
【補正方法】変更
【補正の内容】
【００２３】
下引き層１０２は極性基を有する電子輸送物質を含む組成物の重合物、あるいは、電子輸送物質と結着樹脂を含有し、さらにシリカ粒子１０６を含有する。
【手続補正５】
【補正対象書類名】明細書
【補正対象項目名】００８８
【補正方法】変更
【補正の内容】
【００８８】
本発明の下引き層は、成膜性の観点から、架橋剤と樹脂の組み合わせで用いることが最も高い感度が得られる。